(57)【要約】      （修正有）【課題】寸法の小型化と併せて操作性に優れた電子機器を提供する。【解決手段】ビデオカメラやスチルカメラ等の撮像装置に代表されるモバイル型の電子機器は、電池を交換可能に搭載している。この電子機器は、電池を収容する収容部４１を有する本体と、収容部を覆うように本体に取り付けられ、閉状態と開状態との間の状態移行が可能な蓋１８と、本体に取り付けられ、閉状態および開状態の双方において蓋を係止する係止部材とを備える。【選択図】図９Ａ
2016024383.tif 000002
【特許請求の範囲】
【請求項１】
電池を収容する収容部を有する本体と、
前記収容部を覆うように前記本体に取り付けられ、閉状態と開状態との間の状態移行が可能な蓋と、
前記本体に取り付けられ、前記閉状態および前記開状態の双方において前記蓋を係止する係止部材と
を備えた電子機器。
【請求項２】
前記蓋は、前記閉状態から第１の方向へスライドしたスライド状態へ移行し、さらに、前記第１の方向と交差する回転軸を中心として回転することにより前記スライド状態から前記開状態に至る
請求項１記載の電子機器。
【請求項３】
前記収容部は、前記蓋と対向する底部と、前記底部の外縁に沿って立ち上がる壁とを有し、
前記壁の一部に、前記蓋の回転を係止する回転係止部が設けられている
請求項２記載の電子機器。
【請求項４】
前記蓋は、前記回転軸に沿って伸びるカムシャフトを有し、
前記係止部材は、前記閉状態における前記蓋の前記カムシャフトを係止する第１の係止部と、前記開状態における前記蓋の前記カムシャフトを係止する第２の係止部と、前記第１の係止部と前記第２の係止部とを繋ぎ前記カムシャフトの移動をガイドするスライドガイド部とを有する板状部材を有する
請求項２記載の電子機器。
【請求項５】
前記蓋は、前記第１の方向に沿って伸びる溝を有し、
前記本体は、前記溝と係合する突起を有し、
前記蓋が前記閉状態から前記スライド状態へ移行する際、前記突起は前記溝にガイドされる
請求項２記載の電子機器。
【請求項６】
前記溝の一部には凸部が設けられ、前記突起には前記閉状態において前記凸部を係止する凹部が設けられており、
または、
前記溝の一部には凹部が設けられ、前記突起には前記閉状態において前記凹部に係止される凸部が設けられている
請求項５記載の電子機器。
【請求項７】
前記本体は撮像レンズをさらに有し、
前記第１の方向は、前記撮像レンズの光軸と直交する
請求項２記載の電子機器。
【請求項８】
前記本体は、外部からの光を前記撮像レンズへ導く光透過孔をさらに有し、
前記蓋は、前記本体における前記光透過孔と反対側の背面に設けられている
請求項７記載の電子機器。
【請求項９】
前記溝は、前記第１の方向と直交する第２の方向における前記蓋の両端に１つずつ設けられている
請求項５記載の電子機器。
【請求項１０】
前記蓋は、前記収容部の一部のみを覆い、前記開状態において前記電池の排出および前記電池の挿入が可能な開口が前記蓋および前記本体部により形成される
請求項２記載の電子機器。
【請求項１１】
前記収容部に設けられ、前記開口から前記収容部へ挿入される前記電池の先端面と当接して前記電池を前記第１の方向に付勢する付勢部材をさらに備えた
請求項１０記載の電子機器。
【請求項１２】
前記収容部は、前記蓋と対向する底部と、前記付勢部材が設けられた第１の壁と、前記第１の壁と対向する第２の壁とを有し、
前記収容部に収容された前記電池は、前記付勢部材と前記第２の壁とによって把持される
請求項１１記載の電子機器。
【請求項１３】
前記収容部における前記底部は、前記第１の壁と前記第２の壁との中間の位置よりも前記第１の壁に近い位置において、前記第１の方向と直交する第２の方向の幅が前記電池の幅と同等以上である窪みを有する
請求項１２記載の電子機器。
【請求項１４】
前記底部のうち前記窪み以外の部分は前記第１の方向および前記第２の方向に沿って広がる平坦面であり、
前記窪みは、前記平坦面へ繋がる傾斜面を含む
請求項１３記載の電子機器。
【請求項１５】
前記付勢部材はコイルばねである
請求項１１記載の電子機器。
【請求項１６】
前記蓋は、
前記収容部に収容される前記電池と対向する内面と、
前記内面に立設し、前記収容部に収容される前記電池と当接する１以上のリブと
を有する
請求項１記載の電子機器。
【発明の詳細な説明】
【技術分野】
【０００１】
本開示は、電池を電源として用いる電子機器に関する。
【背景技術】
【０００２】
ビデオカメラやスチルカメラ等の撮像装置に代表されるモバイル型の電子機器は、電池を交換可能に搭載している。これまでに、スマートフォンなどの外部の電子機器と連携して撮像動作が可能な、小型の電子機器が提案されている（例えば特許文献１参照）。
【先行技術文献】
【特許文献】
【０００３】
【特許文献１】実用新案登録第３１９０００１号公報
【発明の概要】
【発明が解決しようとする課題】
【０００４】
しかしながら、最近では、寸法の小型化と併せて操作性の向上が図られることが望ましい。
【０００５】
本開示はかかる問題点に鑑みてなされたもので、その目的は、操作性に優れた電子機器を提供することにある。
【課題を解決するための手段】
【０００６】
本開示の一実施形態としての電子機器は、電池を収容する収容部を有する本体と、収容部を覆うように本体に取り付けられ、閉状態と開状態との間の状態移行が可能な蓋と、本体に取り付けられ、閉状態および開状態の双方において蓋を係止する係止部材とを備えたものである。
【０００７】
本開示の一実施形態としての電子機器では、係止部材が蓋を閉状態および開状態の双方において係止するようにした。このため、開状態において、本体部の収容部への電池の挿入および排出が容易に行われる。一方、閉状態において、電池が収容された状態が保持される。
【発明の効果】
【０００８】
本開示の一実施形態としての電子機器によれば、より操作性の向上を図ることができる。例えば電池の挿入および排出を行う際の操作性を向上させつつ、閉状態においても蓋が意図せず開いてしまうことが防止され、電子機器の操作の妨げとなる事態を回避することができる。なお、本開示の効果はこれに限定されるものではなく、以下に記載のいずれの効果であってもよい。
【図面の簡単な説明】
【０００９】
【図１】第一の実施の形態に係る撮像装置の外観を表す斜視図である。
【図２】図１に示した撮像装置の外観を表す正面図である。
【図３】図１に示した撮像装置の外観を表す背面図である。
【図４】図１に示した撮像装置の外観を表す上面図である。
【図５】図１に示した撮像装置の外観を表す底面図である。
【図６】図１に示した撮像装置の外観を表す右側面図である。
【図７】図１に示した撮像装置の外観を表す左側面図である。
【図８】図１に示した撮像装置の、繰り出し状態の外観を表す斜視図である。
【図９Ａ】図１に示した撮像装置における外筒部の後方部近傍を拡大して表す断面図である。
【図９Ｂ】図１に示した撮像装置における外筒部の後方部近傍を拡大して表す他の断面図である。
【図９Ｃ】図１に示した撮像装置における外筒部の電池蓋を開いた状態を表す断面図である。
【図９Ｄ】図１に示した撮像装置における外筒部の電池蓋を開いた状態を表す斜視図である。
【図９Ｅ】図１に示した撮像装置における外筒部の電池蓋を開いた状態を表す他の斜視図である。
【図１０Ａ】図１に示した撮像装置の外筒部における電池装填部およびその近傍を表す斜視図である。
【図１０Ｂ】図１に示した撮像装置の外筒部における電池装填部およびその近傍を表す上面図である。
【図１１Ａ】図１に示した撮像装置の電池蓋の詳細を表す斜視図である。
【図１１Ｂ】図１に示した撮像装置の外筒部における要部を拡大して表した斜視図である。
【図１２Ａ】閉状態における電池蓋およびその近傍を表す斜視図である。
【図１２Ｂ】スライド状態における電池蓋およびその近傍を表す斜視図である。
【図１２Ｃ】開状態における電池蓋およびその近傍を表す斜視図である。
【図１３Ａ】図１２Ａに示した矢印XIIIＡの方向から眺めたカムシャフト近傍を拡大した側面図である。
【図１３Ｂ】図１２Ｂに示した矢印XIIIＢの方向から眺めたカムシャフト近傍を拡大した側面図である。
【図１３Ｃ】図１２Ｃに示した矢印XIIIＣの方向から眺めたカムシャフト近傍を拡大した側面図である。
【図１４Ａ】図１２Ａに示した矢印XIVＡの方向から眺めたカムシャフト近傍を拡大した側面図である。
【図１４Ｂ】図１２Ｂに示した矢印XIVＢの方向から眺めたカムシャフト近傍を拡大した側面図である。
【図１４Ｃ】図１２Ｃに示した矢印XIVＣの方向から眺めたカムシャフト近傍を拡大した側面図である。
【図１５Ａ】電池蓋の溝と対向する面の詳細な構成を表す説明図である。
【図１５Ｂ】電池蓋の溝の詳細な構成を表す説明図である。
【図１６】図１に示した撮像装置の変形例における電池蓋およびその近傍を表す斜視図である。
【図１７Ａ】図１に示した撮像装置の変形例における閉状態の要部を拡大して表す斜視図である。
【図１７Ｂ】図１に示した撮像装置の変形例におけるスライド状態の要部を拡大して表す斜視図である。
【図１７Ｃ】図１に示した撮像装置の変形例における開状態の要部を拡大して表す斜視図である。
【図１８】図１に示した撮像装置の適用例を表す斜視図である。
【図１９】図１に示した撮像装置の適用例を表す他の斜視図である。
【図２０】図１に示した撮像装置の内部構成の一例としてのブロック図である。
【図２１】図１に示した撮像装置の他の変形例における要部を表す斜視図である。
【発明を実施するための形態】
【００１０】
以下、本開示の実施の形態について図面を参照して詳細に説明する。なお、説明は以下の順序で行う。
１．撮像装置
１.１  基本構成
１.２  要部構成
１.３  電池蓋の開閉動作
１.４  電池交換の操作
１.５  変形例
１.６  適用例
１.７  内部構成
１.８  撮影動作
【００１１】
［１．撮像装置１の基本構成］
図１〜図７は、それぞれ、本開示の第一の実施の形態としての撮像装置１の外観を表す斜視図、正面図、背面図、上面図、底面図、右側面図および左側面図である。また、図８は、撮像装置１の外観を表す他の斜視図である。なお、図１は内筒部１１（後出）が鏡筒部９（後出）に収納された沈胴状態の撮像装置１を表し、図８は内筒部１１の一部が鏡筒部９の外部へ繰り出した繰り出し状態の撮像装置１を表している。撮像装置１は、電池ＢＣ（後出）を収容する本体８と、本体８に取り付けられ、閉状態と開状態との間の状態移行が可能な電池蓋１８と、閉状態および開状態の双方において電池蓋１８を係止するクリックばね５１とを備えている。以下の説明にあっては、撮像装置１について撮影者（使用者）から見た方向で前後上下左右の方向を示すものとする。従って、被写体側が前方となり、撮影者側が後方となる。なお、以下に示す前後上下左右の方向は説明の便宜上のものであり、本技術の実施に関しては、これらの方向に限定されることはない。
【００１２】
本体８は、外筒部９と転がり防止部１０とを有している。外筒部９の内部には１以上の撮像レンズ１４（図８参照）と、撮像素子６２（後出の図１８に記載）とが設けられている。撮像装置１では、撮像レンズ１４を介して取り込まれた光が撮像素子６２において光電変換される。
【００１３】
外筒部９は、撮像レンズ１４を収容する筒状部９Ａと、筒状部９Ａの前端から前方へ張り出した環状の張出部９Ｂと、筒状部９Ａの後端に設けられた後方部９Ｃとを有している。筒状部９Ａにおいて、撮像レンズ１４の光軸方向（Ｚ軸方向とする）である前後方向に直交する断面の外形は、実質的に円形をなしている。
【００１４】
転がり防止部１０は、例えば筒状部９Ａの下面側において、筒状部９Ａに対して撮像レンズ１４の光軸方向に直交する方向において外側に突出されて設けられている。転がり防止部１０は撮像装置１が机やテーブル等の載置面に載置されたときの撮像装置１の転がりを防止する機能を有する。このため、転がり防止部１０によって撮像装置１の落下等による破損や故障が回避される。転がり防止部１０の側面１０Ａには、例えばズームレバー２５および撮影ボタン２６が設けられている。
【００１５】
外筒部９の内側には、撮像レンズ１４の光軸方向に沿って移動可能に形成された複数の内筒部１１（１１Ａ〜１１Ｃ）が支持されている（図１および図８参照）。例えば内筒部１１Ａが最も内側に位置し、その外側に内筒部１１Ｂが内筒部１１Ａを取り囲むように設けられ、さらにその外側に内筒部１１Ｃが内筒部１１Ｂを取り囲むように設けられている。内筒部１１Ｃの外側は外筒部９によって取り囲まれている。なお、ここでは内筒部１１Ａと内筒部１１Ｂと内筒部１１Ｃとの３つの内筒部が設けられた場合について例示したが、内筒部１１の数はこれに限定されない。すなわち、内筒部１１は１もしくは２のみ存在してもよいし、または４以上存在していてもよい。
【００１６】
撮像装置１は、内筒部１１が外筒部９に対して前方へ繰り出されて撮影状態（図８）となり、前方へ繰り出されていた内筒部１１が後方へ繰り込まれて外筒部９の内部に収納されることにより沈胴状態（図１）となる。撮像装置１は、沈胴状態（図１）と撮影状態（図８）との間で状態移行する。
【００１７】
最も内側の内筒部１１Ａの前面には実質的に矩形状の光透過孔１２（図８）とレンズバリア１３とが設けられている。レンズバリア１３は開閉自在に内筒部１１Ａに支持されている。レンズバリア１３は沈胴状態において閉じた状態となり、撮影状態において開いた状態となる。したがって、沈胴状態においてはレンズバリア１３によって内筒部１１Ａの光透過孔１２が閉塞され（図３）、撮影状態においてはレンズバリア１３によって光透過孔１２が開放される（図８）。内筒部１１Ａの内部に設けられた撮像レンズ１４には、レンズバリア１３が開いた状態において、光透過孔１２から外部の光が入射される。
【００１８】
外筒部９の後方部９Ｃにおける外周部には、後方へ突出された一対の結合突部１５が周方向に離隔して設けられている（図３）。後方部９Ｃにおける結合突部１５の近傍にはロックピン１６が前後方向へ移動自在に支持されている。ロックピン１６は図示しないバネによって後方へ付勢されている。
【００１９】
外筒部９の筒状部９Ａにおける後端部にはロック解除レバー１７が配置されている（図７）。ロック解除レバー１７が操作されることによりロックピン１６が外筒部９の内部に引き込まれる。結合突部１５は、後出のアダプタ２と結合される部分である。
【００２０】
外筒部９の筒状部９Ａにおける上端部にはマイクロフォン１９と電源ボタン２０が前後に離隔して配置されている（図1および図４）。マイクロフォン１９は外部の音声を入力するための部分である。
【００２１】
電源ボタン２０は表面が筒状部９Ａの外周より外側に突出しないように配置されているとよい。電源ボタン２０が筒状部９Ａの外周より外側に突出しないことにより、電源ボタン２０の誤操作が防止されるからである。電源ボタン２０が操作されることにより、撮像装置１における電源の投入または電源の遮断が行われ、電源が投入されたときに内筒部１１が外筒部９に対して前方へ繰り出されて撮影状態が設定され（図８）、電源が遮断されたときに前方へ繰り出されていた内筒部１１が後方へ繰り込まれて外筒部９の内部に収納されることにより沈胴状態が設定される（図１）。
【００２２】
外筒部９の筒状部９Ａにおける下端部には三脚穴２１が形成されている（図５）。三脚穴２１は撮影時等に図示しない三脚に撮像装置１を結合するための穴である。外筒部９の筒状部９Ａにおける下端部には三脚穴２１の左右にそれぞれ転がり規制突起２２、２２が設けられている（図２および図５）。転がり規制突起２２、２２は転がり防止部１０の機能を補強する機能を有し、転がり規制突起２２、２２によって撮像装置１が机やテーブル等に載置されたときの撮像装置１の転がりが規制され、撮像装置１の落下等による破損や故障を防止することが可能である。
【００２３】
外筒部９の筒状部９Ａにおける後端部の下端寄りの位置にはカバー体２３が配置されている（図３および図５）。撮像装置１にはカバー体２３の内側に図示しないＵＳＢ（UniversalSerialBus）等の外部接続端子及びメモリーカードスロットが設けられている。したがって、カバー体２３を開放することにより、外部機器との接続及びメモリーカードの装着を行うことができる。また、外部機器との接続やメモリーカードの装着により、撮像装置１によって撮影した画像や映像の外部機器又はメモリーカードへの記録を行うことができる。
【００２４】
外筒部９の筒状部９Ａにおける右端部には液晶パネル等の表示部２４が配置されている。表示部２４には、例えば電池ＢＣの残量やメモリーカードのメモリーカードスロットへの挿入の有無等が表示される。
【００２５】
表示部２４が配置されていることにより、撮像装置１の外部からバッテリーの残量やメモリーカードのメモリーカードスロットへの挿入の有無等を確認することが可能であり、撮像装置１の使い勝手の向上を図ることができる。
【００２６】
転がり防止部１０の側面１０Ａには、変倍を行うためのズームレバー２５と、静止画撮影時にシャッタとして機能する撮影ボタン２６とが前後に並んで近接して配置されている（図１および図６参照）。ズームレバー２５が操作されることにより望遠と広角の間でのズームが行われ、撮影ボタン２６が操作されることにより被写体の撮影が行われる。なお、撮影ボタン２６は動画撮影時には動画撮影の開始および停止の切替ボタンとして機能する。
【００２７】
ズームレバー２５は、例えば、上下方向へ移動されることにより操作される。このようにズームレバー２５が所定の方向へ移動操作されることによりズーミングが行われるため、良好な操作性が確保され、撮像装置１の使い勝手の向上を図ることができる。また、  ズームレバー２５と撮影ボタン２６とが近接して配置されることにより、使用者がズーミング操作により画角調整を行った後に撮影操作を行うという一連の撮影動作が行い易いく、撮像装置１の使い勝手の向上を図ることができる。ズームレバー２５と撮影ボタン２６との配置は、図１などに示したものに限定されない。ズームレバー２５と撮影ボタン２６とは、例えば、上下や斜め方向に並んで近接して配置されていてもよい。
【００２８】
撮影ボタン２６については、例えば、半押しでオートフォーカスが行われ、全押しで撮像が行われる機能が付加されていてもよい。
【００２９】
また、撮像装置１は音出力部が設けられ、オートフォーカス動作時に音声出力部から電子音等が出力されるようにしてもよい。これにより、使用者において操作を行ったことが認識され、操作の確実性を図ることができる。
【００３０】
この撮像装置１では、さらに、ズームレバー２５および撮影ボタン２６が転がり防止部１０の側面１０Ａに配置されることにより、ズームレバー２５および撮影ボタン２６は筒状部９Ａの上端部に設けられたマイクロフォン１９と離隔される。したがって、使用者がズームレバー２５等の操作に伴う電子音がマイクロフォン１９に入力され難くなり、音量の低下を抑制することができる。
【００３１】
さらにまた、電源ボタン２０と撮影ボタン２６とが本体８の周方向において離隔して配置されているため、電源操作と撮影操作との間での誤操作が生じにくくなる。
【００３２】
［２．撮像装置１の要部構成］
外筒部９の後方部９Ｃにおける一対の結合突部１５の間には、電池ＢＣ（後出）の装着および取出を行うための電池蓋１８が設けられている（図３）。すなわち、電池蓋１８は、本体８における光透過孔１２と反対側の背面に設けられている。以下、図９〜図１５Ｂを参照して、電池蓋１８およびその周辺の構成について詳細に説明する。電池蓋１８は、後方部９Ｃに対し開閉可能に取り付けられている。
【００３３】
図９Ａおよび図９Ｂは、外筒部９の後方部９Ｃ近傍を拡大して表す光軸に沿った断面図である。なお、図９Ａは、電池ＢＣが装填されていない空の状態を表し、図９Ｂは、電池ＢＣを装填した状態を表す。また、図９Ｃ〜図９Ｅは、いずれも電池蓋１８を開いた開状態、すなわち、電池ＢＣの出し入れが可能な状態を表す。それらのうち、図９Ｃおよび図９Ｄは、電池ＢＣが挿入され、または排出される途中の状態を示す断面図および斜視図であり、図９Ｅは、電池ＢＣが所定の位置に装填されている状態を示す斜視図である。なお、図９Ｅでは、一対の結合突部１５の図示を省略している。また、図９Ｃ〜図９Ｅに示した開状態に対し、図９Ａおよび図９Ｂに示した状態は閉状態という。閉状態とは、電池装填部４１（後出）または電池ＢＣが外部から見えない状態、すなわち電池ＢＣを出し入れできない状態をいう。
【００３４】
さらに図１０Ａおよび図１０Ｂは、それぞれ、電池蓋１８および後方部９Ｃを取り去った状態の外筒部９の後方端を拡大して表す斜視図および上面図である。電池蓋１８は、閉状態から、撮像レンズ１４の光軸方向（Ｚ軸方向）と直交する第１の方向（Ｘ軸方向）へスライドしたスライド状態へ移行し、さらに、第１の方向と交差する回転軸Ｊ（後出）を中心として回転することによりスライド状態から開状態に至る。電池蓋１８の開閉動作については後に詳述する。電池ＢＣの挿入方向（または排出方向）は、電池蓋１８がスライドする方向である第１の方向（Ｘ軸方向）におおよそ一致しているが、僅かにＺ軸方向のベクトル成分を有している。
【００３５】
図１０Ａおよび図１０Ｂに示したように、撮像装置１の外筒部９には、電池蓋１８の内側に電池ＢＣを収容する収容部の一具体例としての電池装填部４１が形成されている。電池蓋１８を開閉することにより電池装填部４１に対する電池ＢＣの装填および取出を行うことが可能とされている。すなわち、電池蓋１８は、電池装填部４１を覆うように外筒部９に取り付けられ、閉状態と開状態との間の状態移行が可能とされている。電池ＢＣは、例えばリチウムイオン二次電池である。電池蓋１８は電池装填部４１の一部のみを覆っており、図９Ｃ〜図９Ｅに示したように後方部９Ｃに対して電池蓋１８が立設した開状態において、電池ＢＣの排出および電池ＢＣの挿入の際に電池ＢＣが通過することとなる開口ＡＰが、電池蓋１８、筒状部９Ａおよび後方部９Ｃにより形成される。
【００３６】
電池装填部４１は、電池蓋１８と対向する底部４１Ｂと、この底部４１Ｂの外縁に沿って四方を取り囲むように立ち上がる４つの壁４１Ｗ（４１Ｗ１〜４１Ｗ４）とを有している。電池装填部４１は、その一部の領域が電池蓋１８によって覆われており、他の領域は後方部９Ｃによって覆われている。したがって、底部４１Ｂ、４つの壁４１Ｗ、電池蓋１８および後方部９Ｃにより、電池ＢＣの外形に沿ったおおよそ直方体形状の空間が形成されている。但し、底部４１Ｂの一部には窪み４４が形成されている。窪み４４は、壁４１Ｗ１と壁４１Ｗ２との中間の位置よりも壁４１Ｗ１に近い位置に設けられており、第１の方向（Ｘ軸方向）および光軸方向（Ｚ軸方向）の双方と直交する第２の方向（Ｙ軸方向）の幅が電池ＢＣの幅と同等以上である。底部４１Ｂのうち窪み４４以外の部分は例えばＸ軸方向およびＹ軸方向に沿って広がる平坦面４１ＢＳであり、窪み４４は、その平坦面４１ＢＳへ繋がる傾斜面４４Ｓを含んでいる（図９Ａ参照）。
【００３７】
図９Ｃ〜９Ｅ，１０Ａ，１０Ｂに示した符号ＩＮを付した矢印は、電池ＢＣを装着する際の挿入方向を表している。壁４１Ｗ１は、開口ＡＰから電池装填部４１へ挿入される電池ＢＣの先端面ＢＣ１（図９Ｃ）と対向する。壁４１Ｗ１の一部には、電池ＢＣの先端面ＢＣ１と当接するコイル状の電池排出ばね４２が設けられている。電池排出ばね４２は、電池ＢＣを挿入方向と反対の排出方向へ付勢する付勢部材である。電池装填部４１に装填された電池ＢＣは、電池排出ばね４２と壁４１Ｗ２とによって把持される。さらに、壁４１Ｗ１の他の一部には、電池ＢＣの端子（図示せず）と接続される接続端子４３が設けられている。また、壁４１Ｗ２の一部には指入れ部４６が設けられている。この指入れ部４６は、電池ＢＣを取り出す際に後端面ＢＣ２に触れるために指を入れるスペースとなる凹部である。
【００３８】
図１１Ａは、電池蓋１８のみの構成を表す斜視図である。電池蓋１８は、平板状の基部１８Ｂと、その外縁に立設する壁部１８Ｗとを有する。壁部１８Ｗは、例えば第１の方向（Ｘ軸方向）に伸びる一対の壁部１８Ｗ２，１８Ｗ３と、それらを繋ぐ壁部１８Ｗ１とを含んでいる。一対の壁部１８Ｗ２，Ｗ３には、Ｘ軸方向に伸びる案内溝１８Ｇがそれぞれ設けられている。一対の壁部１８Ｗ２，Ｗ３には、さらに、回転軸Ｊに沿って伸びるカムシャフト１８Ｊ１，１８Ｊ２がそれぞれ設けられている。回転軸Ｊは、第１の方向（Ｘ軸方向）および光軸方向（Ｚ軸方向）の双方と直交する幅方向であって基部１８Ｂと平行な方向の軸である。なお、案内溝１８Ｇおよびカムシャフト１８Ｊ１，１８Ｊ２は、一対の壁部１８Ｗ２，１８Ｗ３の双方に設けられていてもよいし、壁部１８Ｗ２または壁部１８Ｗ３のいずれか一方のみに設けられていてもよい。
【００３９】
さらに基部１８Ｂの内面１８ＢＳ、すなわち、閉状態において電池装填部４１の底部４１Ｂと対向する面には、底部４１Ｂに向けて立設するリブ１８Ｌが複数設けられている。リブ１８Ｌの先端は、例えば図８Ｂに示したように電池装填部４１に装填された電池ＢＣの上面ＢＣ２と当接し、閉状態において電池ＢＣを保持するように機能する。また、複数のリブ１８Ｌを設けて隣り合うリブ１８Ｌ同士の隙間を確保することにより、基部１８Ｂを薄型化した場合であっても十分な強度を確保でき、軽量化が図られる。
【００４０】
図１１Ｂ、図１２Ａ〜１２Ｃ、図１３Ａ〜１３Ｃ、図１４Ａ〜図１４Ｃ、図１５Ａ，１５Ｂを参照して、より詳細な構成について説明する。
【００４１】
図１１Ｂは、閉状態におけるカムシャフト１８Ｊ１の近傍を拡大して表した斜視図である。図１２Ａは、閉状態における電池蓋１８およびその近傍を表す斜視図であり、図１２Ｂは、スライド状態における電池蓋１８およびその近傍を表す斜視図であり、図１２Ｃは、開状態における電池蓋１８およびその近傍を表す斜視図である。図１３Ａは、図１２Ａに示した矢印XIIIＡの方向から眺めたときのカムシャフト近傍を拡大して表す側面図である。図１３Ｂは、図１２Ｂに示した矢印XIIIＢの方向から眺めたときのカムシャフト近傍を拡大して表す側面図である。図１３Ｃは、図１２Ｃに示した矢印XIIIＣの方向から眺めたときのカムシャフト近傍を拡大して表す側面図である。さらに、図１４Ａは、図１２Ａに示した矢印XIVＡの方向から眺めたときのカムシャフト近傍を拡大して表す側面図である。図１４Ｂは、図１２Ｂに示した矢印XIVＢの方向から眺めたときのカムシャフト近傍を拡大して表す側面図である。図１４Ｃは、図１２Ｃに示した矢印XIVＣの方向から眺めたときのカムシャフト近傍を拡大して表す側面図である。
【００４２】
外筒部９の後方部９Ｃには、一対の壁部１８Ｗ２，１８Ｗ３とそれぞれ対向する面に、第１の方向（Ｘ軸方向）に伸びる突起９Ｃ１が設けられている（図１２Ｃ）。後方部９Ｃの突起９Ｃ１と電池蓋１８の案内溝１８Ｇとは、閉状態からスライド状態に至るまで互いに係合している。これにより、電池蓋１８は、閉状態とスライド状態との間の状態移行の際に第１の方向（Ｘ軸方向）へガイドされるようになっている。より詳細には、図１５Ａに示したように、後方部９Ｃにおける壁部１８Ｗ２と対向する面には、＋Ｙ方向に突出した突起９Ｃ１が設けられており、突起９Ｃ１の一部には例えば＋Ｚ方向に凹んだ凹部９Ｃ２が形成されている。なお、図１５Ａにおいて、右側の図はＸＺ平面における構成を表し、左側の図は右側の図中に示されたXVＡ−XVＡ線に沿った矢視方向の断面構成を表す。一方、電池蓋１８の壁部１８Ｗ２には、図１５Ｂに示したように突起９Ｃ１と係合する溝１８Ｇが形成されており、その溝１８Ｇを形成する壁１８Ｇ１の一部にはＺ方向に突出した凸部１８Ｇ２が設けられている。凸部１８Ｇ２は、閉状態において凹部９Ｃ２に係止されるようになっている。これにより、例えば撮像装置１そのものを傾けた際、電池蓋１８が自重により＋Ｘ方向へ意図せずスライドすることが防止される。なお、溝１８Ｇに凹部を設け、突起９Ｃ１に凸部を設けてもよい。
【００４３】
外筒部９には、さらに、閉状態および開状態の双方において電池蓋１８を係止する係止部材の一具体例としてのクリックばね５１が取り付けられている（図１０Ａ，１０Ｂ，１１Ｂ，１３Ａ〜１３Ｃ）。クリックばね５１は、例えば第１の方向（Ｘ軸方向）において第１の係止部５１Ａと、スライドガイド部５１Ｂと、第２の係止部５１Ｃとを順に有する一枚の板状のばねである。例えばスライドガイド部５１Ｂは第１の方向に延在する平坦部であり、第１の係止部５１Ａおよび第２の係止部５１Ｂは、スライドガイド部５１Ｂに対して傾斜した傾斜面を含んでいる。後方部９Ｃには、このクリックばね５１と対応する位置に、第１の方向（Ｘ軸方向）に延在する切り欠き９Ｋ１が形成されている。切り欠き９Ｋ１と筒状部９Ａとの隙間には電池蓋１８のカムシャフト１８Ｊ１が挿入され、カムシャフト１８Ｊ１とクリックばね５１とが当接している。ここで、切り欠き９Ｋ１の高さ（Ｚ軸方向の寸法）は、例えばカムシャフト１８Ｊ１の直径とほぼ同等である。但し、カムシャフト１８Ｊ１の一部には他の部分よりも大きな直径を有する凸部Ｔ１８Ｊが設けられている。
【００４４】
なお、図１４Ａ〜１４Ｃに示したように、後方部９Ｃには、切り欠き９Ｋ１と反対側に、すなわち電池蓋１８のカムシャフト１８Ｊ２と対応する位置に、第１の方向（Ｘ軸方向）に延在する切り欠き９Ｋ２が形成されている。切り欠き９Ｋ２と筒状部９Ａとの隙間にはカムシャフト１８Ｊ２が挿入されている。カムシャフト１８Ｊ２は、切り欠き９Ｋ２のエッジおよび筒状部９Ａの双方と当接している。カムシャフト１８Ｊ２は、短径Ｄ１と長径Ｄ２とを有するおおよそ楕円状の断面を有している。ここで、切り欠き９Ｋ１と筒状部９Ａとの隙間の高さＨ１（Ｚ軸方向の寸法）は、カムシャフト１８Ｊ２の短径Ｄ１とほぼ同等である。また、筒状部９Ａには僅かに窪んだ凹部９ＡＡが形成されている。凹部９ＡＡは、スライド状態においてカムシャフト１８Ｊ２と対応する位置に形成されている。切り欠き９Ｋ１と凹部９ＡＡとの隙間の高さＨ２（Ｚ軸方向の寸法）は、高さＨ１よりも大きく、カムシャフト１８Ｊ２の長径Ｄ２とほぼ同等である。
【００４５】
第１の係止部５１Ａは、閉状態における電池蓋１８のカムシャフト１８Ｊ１を係止する（図１３Ａ参照）。より詳細には、第１の係止部５１Ａはカムシャフト１８Ｊ１と当接して上方へ付勢し、カムシャフト１８Ｊ１を切り欠き９Ｋ１のエッジと第１の係止部５１Ａとで挟みつけることにより、電池蓋１８を保持するようになっている。閉状態では、カムシャフト１８Ｊ１の凸部Ｔ１８Ｊは横方向を向いており、第１の係止部５１Ａは、カムシャフト１８Ｊ１のうち凸部Ｔ１８Ｊ以外の部分と当接する。また、第２の係止部５１Ｃは、開状態における電池蓋１８のカムシャフト１８Ｊ１を係止する（図１３Ｃ参照）。より詳細には、第２の係止部５１Ｃは、カムシャフト１８Ｊ１のうち例えば下方を向く凸部Ｔ１８Ｊと当接し、カムシャフト１８Ｊ１を上方へ付勢する。カムシャフト１８Ｊ１が第２の係止部５１Ｃと、切り欠き９Ｋ１のエッジとにより挟みつけられることで、電池蓋１８は保持されるようになっている。さらに、スライドガイド部５１Ｂは、第１の係止部５１Ａと第２の係止部５１Ｃとを繋ぎ、カムシャフト１８Ｊ１のＸ軸方向の移動をガイドするように機能する（図１３Ｂ）。
【００４６】
［３．電池蓋１８の開閉動作］
次に、図１２Ａ〜１２Ｃ、図１３Ａ〜１３Ｃおよび図１４Ａ〜１４Ｃを主に参照して、電池蓋１８の開閉動作について説明する。
【００４７】
電池蓋１８を開く動作を行う際には、まず、図１２Ａなどに示した閉状態から、電池蓋１８がＸ軸に沿って矢印Ｘ１の方向へスライドすることで図１２Ｂなどに示したスライド状態へ移行する。そののち、電池蓋１８が第２の方向（Ｙ軸方向）の伸びる回転軸Ｊを中心として矢印Ｒ１の方向へ回転することにより、図１２Ｂなどに示したスライド状態から図１２Ｃなどに示した開状態に至る。
【００４８】
電池蓋１８を開く動作の際のカムシャフト１８Ｊ１の挙動については以下の通りである。まず、閉状態においては、図１３Ａに示したように、カムシャフト１８Ｊ１は切り欠き９Ｋ１の一端（図１３Ａでは左端）に位置し、第１の係止部５１Ａによって左斜め上方（矢印５２Ａの方向）へ付勢されている。これにより、カムシャフト１８Ｊ１は、第１の係止部５１Ａと切り欠き９Ｋ１の左端の角隅部分のエッジとによって挟まれた状態となり、電池蓋１８が閉じた状態のまま係止される。このとき、凸部Ｔ１８Ｊは例えば左方向（−Ｘ方向）を向いている。電池蓋１８がＸ軸に沿って矢印Ｘ１の方向へスライドすることでスライド状態へ移行する際には、カムシャフト１８Ｊ１は図１３Ｂに示したように切り欠き９Ｋ１の他端（図１３Ｂでは右端）へ回転することなく移動する。さらに、スライド状態（図１３Ｂ）から開状態（図１３Ｂ）に移行する際には、カムシャフト１８Ｊ１は矢印Ｒ１の方向に回転し、凸部Ｔ１８Ｊが左向きから下向きへ移行する。閉状態においては、図１３Ｃに示したように、カムシャフト１８Ｊ１は切り欠き９Ｋ１の他端（図１３Ｃでは右端）に位置し、第２の係止部５１Ｃによって右斜め上方（矢印５２Ｃの方向）へ付勢されている。これにより、カムシャフト１８Ｊ１は、第２の係止部５１Ｃと切り欠き９Ｋ１の右端の角隅部分のエッジとによって挟まれた状態となり、その結果、電池蓋１８が開いた状態のまま係止される。
【００４９】
電池蓋１８を開く動作の際のカムシャフト１８Ｊ２の挙動については以下の通りである。まず、閉状態においては、図１４Ａに示したように、カムシャフト１８Ｊ２は切り欠き９Ｋ２の一端（図１４Ａでは右端）に位置し、切り欠き９Ｋ２と筒状部９Ａとの隙間に挟まれている。ここではその隙間の高さＨ１と短径Ｄ１の方向とが一致しているので、カムシャフト１８Ｊ２はＺ軸方向には移動できないものの矢印Ｘ１の方向へは移動可能な状態である。電池蓋１８がＸ軸に沿って矢印Ｘ１の方向へスライドすることでスライド状態へ移行する際には、カムシャフト１８Ｊ２は図１４Ｂに示したように切り欠き９Ｋ２の他端（図１４Ｂでは左端）へ回転することなく移動する。さらに、スライド状態（図１４Ｂ）から開状態（図１４Ｂ）に移行する際には、カムシャフト１８Ｊ２は矢印Ｒ１の方向に回転し、長径Ｄ２の方向がＺ軸方向となる。筒状部９Ａのうち、カムシャフト１８Ｊ２と対応する位置には凹部９ＡＡが形成されていることから、カムシャフト１８Ｊ２は回転することができる。なお、本実施の形態では、カムシャフト１８Ｊ１に対応する位置にのみクリックばね５１を設けるようにしたが、カムシャフト１８Ｊ２に対応する位置にもクリックばね５１を設けるようにしてもよい。
【００５０】
電池蓋１８を閉じる動作の際には、上記と逆の手順を経る。
【００５１】
［４．撮像装置１における電池交換の操作］
電池ＢＣの装填を行う場合には、上述のようにして電池蓋１８を開状態としたのち、例えば図９Ｃおよび図９Ｄに示したように矢印ＩＮの方向に電池ＢＣを電池装填部４１へ挿入する。このとき、窪み４４が設けられていることから、僅かに斜め下方向に電池ＢＣを挿入することができる。電池ＢＣの先端面ＢＣ１はやがて電池排出ばね４２と当接するものの、電池排出ばね４２の付勢力よりも大きな力で押し込むことにより、電池ＢＣの後端面ＢＣ２と壁４１Ｗ２とが接するように電池ＢＣを完全に電池装填部４１へ収容することができる（図９Ｅ）。
【００５２】
電池ＢＣの取出を行う場合には、電池蓋１８を開状態としたのち、例えば指入れ部４６へ指を入れて電池ＢＣを挿入方向（矢印ＩＮの方向）へ僅かに押し込みながら、後端面ＢＣ２を上方へ引き上げることで壁４１Ｗ２による後端面ＢＣ２の係止を解除する。次に、そのまま指を離すことで、電池排出ばね４２の付勢力により電池ＢＣが手前に排出される。この結果、電池ＢＣの一部を指で把持することができる状態となり、電池ＢＣの取出が可能となる。
【００５３】
［５．撮像装置１の変形例］
図１６および図１７Ａ〜１７Ｃを参照して、本実施の形態の変形例について説明する。図１６は、本変形例における電池蓋１８およびその近傍を表す斜視図である。但し図１６では、後方部９Ｃを取り去った状態を表している。図１７Ａ〜１７Ｃは、それぞれ閉状態、スライド状態および開状態における本変形例の要部を拡大して表す斜視図である。なお、図１６では、後方部９Ｃの一部および結合突部１５を省略して図示している。また、図１７Ａ〜１７Ｃでは、電池蓋１８の壁部１８Ｗ３に対応する箇所のみを示しているが、壁部１８Ｗ２においても同様の構成としてもよい。
【００５４】
電池装填部４１には、さらに、その壁４１Ｗ３，４１Ｗ４の一部に、電池蓋１８の回転を係止する回転係止部４５が設けられていてもよい（図１７Ａ〜１７Ｃ）。その場合、例えば電池蓋１８には被係止部１８Ｓ１，１８Ｓ２が設けられているとよい（図１６）。被係止部１８Ｓ１，１８Ｓ２は、それぞれ壁部１８Ｗ２，１８Ｗ３の延長上においてカムシャフト１８Ｊ１，１８Ｊ２の壁部１８Ｗ１と反対側へ伸びる板状部分である。
【００５５】
回転係止部４５は、面４５Ａと、凹部４５Ｂと、凹部４５Ｂの一部を構成する面４５Ｃとを含む。面４５Ａは、電池蓋１８が閉じた状態において被係止部１８Ｓ１，１８Ｓ２を係止する。凹部４５Ｂは、被係止部１８Ｓ１，１８Ｓ２の回転軸Ｊを中心とした回転が行われる空間を提供する部分である。また、面４５Ｃは、電池蓋１８が開いた状態において被係止部１８Ｓ１，１８Ｓ２を係止する。
【００５６】
このような回転係止部４５を設けることにより、電池蓋１８が、閉状態および開状態の双方において後方部９Ｃによっていっそう強固に保持され、使用者の利便性を高めることができる。
【００５７】
［７．撮像装置１の適用例］
撮像装置１は、図１８および図１９に示したように、その背面にアダプタ２が装着され、さらにそのアダプタ２を介して表示装置３に着脱可能とされている。
【００５８】
アダプタ２はベース体４の内外に所要の各部が配置されてなるものである。アダプタ２にはベース体４に対して回動可能な一対の被取付体５が設けられている。被取付体５はベース体４の中央部を挟んで反対側の位置において回動可能とされ、ベース体４の収納凹部にそれぞれ収納される収納位置と収納凹部から引き出される引出位置との間で回動される。被取付体５は一方が他方に対して離接する方向（上下方向）へ移動可能とされ、図示しないバネによって一方が他方に近付く方向へ付勢されている。被取付体５は引出位置に回動された状態において、上下から挟むようにして表示装置３に取り付けられる。このとき被取付体５は一方が他方に近付く方向へ付勢されているため、表示装置３を上下から挟み込み、アダプタ２の表示装置３に対する安定した取付状態が確保される。
【００５９】
撮像装置１は結合突部１５がアダプタ２の結合穴に挿入されて結合される。結合突部１５がアダプタ２の結合穴に挿入されて結合され、アダプタ２が撮像装置１に対してベース体４の周方向において所定の位置まで回転されると、ロックピン１６がばねによる付勢力によって後方へ移動されてアダプタ２の被ロック穴に挿入され、アダプタ２が撮像装置１にロックされた状態で取り付けられる。
【００６０】
一方、ロック解除レバー１７が操作されると、ロックピン１６が付勢力に反して前方へ移動されて被ロック穴から引き出され、アダプタ２に対するロックピン１６によるロックが解除される。アダプタ２が撮像装置１に対してベース体４の周方向において所定の位置まで回転されることにより、結合突部１５をアダプタ２の結合穴から引き出すことが可能になり、アダプタ２を撮像装置１から取り外すことができる。
【００６１】
表示装置３は、例えば、スマートフォン等の携帯電話である。但し、表示装置３は携帯電話に限られることはなく、表示機能を有していれば他の装置、例えば、携帯端末やテレビジョンシステム等であってもよい。表示装置３では、略長方形のケース体である筐体６に表示パネル７が設けられている。表示パネル７はタッチパネルとされ表示パネル７の所定の各位置を接触操作することにより所定の機能が実行される。
【００６２】
［７．撮像装置１の内部構成］
図２０に、撮像装置１の内部構成としてのブロック図の一例を表す。なお、この撮像装置１は、所定のアダプタ２を介して表示パネル７を含む表示装置３に装着され、表示装置３と連動して動作することができるようになっている。
【００６３】
撮像装置１は、撮像レンズ１４、撮像素子６２、カメラ信号処理部６３、画像処理部６４、Ｒ／Ｗ（リーダ／ライタ）６５、ＣＰＵ（CentralProcessingUnit）６６、入力操作部６７および通信部６８を備える。撮像素子６２は、撮像レンズ１４を介して取り込まれる光を光電変換する。カメラ信号処理部６３は、撮影された画像信号のアナログ−デジタル変換等の信号処理を行う。カメラ信号処理部６３は、例えば撮像素子６２からの出力信号に対するデジタル信号への変換、ノイズ除去、画質補正、輝度・色差信号への変換等の各種の信号処理を行う。画像処理部６４は、画像信号の記録再生処理を行う。例えば、所定の画像データフォーマットに基づく画像信号の圧縮符号化・伸張復号化処理や解像度等のデータ仕様の変換処理等を行う。Ｒ／Ｗ６５は、画像処理部６４によって符号化された画像データのメモリーカード３００への書込及びメモリーカード３００に記録された画像データの読出を行う。ＣＰＵ６６は、撮像装置１の全体を制御する。すなわちＣＰＵ６６は、撮像装置１に設けられた各部を制御する制御処理部として機能し、入力操作部６７からの指示入力信号等に基づいて各部を制御する。入力操作部６７は、使用者によって所要の操作が行われる、ズームレバー２５および撮影ボタン２６を含む各種のスイッチなどである。通信部６８は、外部機器との無線通信を行うものである。
【００６４】
ＣＰＵ６６はＮＦＣ通信部やＷＩＦＩ通信部を有する通信部６８による無線通信によって表示装置３と各種のデータや制御情報の送受信が可能とされている。入力操作部６７は、使用者による操作に応じた指示入力信号をＣＰＵ６６に対して出力する。メモリーカード３００は、例えば、Ｒ／Ｗ６５に接続されたメモリーカードスロットに対して着脱可能な半導体メモリである。
【００６５】
さらに、撮像装置１では、通信部６８を介して無線通信を実行することにより、例えば、撮像装置１によって撮影した画像や映像の表示装置３への表示や保存、表示装置３に対する操作による撮像装置１の撮影機能の実行、表示装置３に対する操作による撮像装置１のズーム機能の実行等の各種の操作を行うことが可能とされている。
【００６６】
具体的には、例えば、外筒部９における筒状部９Ａの内側にＮＦＣ（NearFieldCommunication）通信が行われるＮＦＣ通信部（ＮＦＣタグ）が搭載されており、表示装置３に搭載されたＮＦＣ通信部との間で非接触通信が行われる。また、撮像画像の送信等のために、例えば、ＷＩＦＩ（WirelessFidelity）通信部が設けられ、表示装置３に搭載されたＷＩＦＩ通信部との間で無線通信が行われる。撮像装置１は電源ボタン２０に対する操作によって電源が投入されるほか、表示装置３からのＮＦＣ通信によって電源が投入されてもよい。例えば、ＮＦＣ通信が確立されたときに撮像装置１の電源が投入されるようにしてもよい。また、撮像装置１において、筒状部９Ａの上端部等の電源ボタン２０の近傍にＮＦＣ通信機能の表示が行われるようにすることにより、電源投入操作が行われたか否かを使用者が確認し易くなり、撮像装置１の使い勝手が向上する。
【００６７】
さらに、撮像装置１は机やテーブル等の載置面に載置された状態で使用される場合もあるが、このような使用状態においては、通常、使用者が表示装置３を上方から撮像装置１に近付ける。従って、ＮＦＣ通信部を筒状部９Ａの内部における上方側に配置することにより、このような使用状態においても近距離無線通信に適した配置となる。
【００６８】
［８．撮像装置１の撮影動作］
以下、図２０を参照して、撮像装置１における動作を説明する。
【００６９】
入力操作部６７からの指示入力信号により撮影動作が行われると、撮影された画像信号がカメラ信号処理部６３から画像処理部６４に出力されて圧縮符号化処理され、所定のデータフォーマットのデジタルデータに変換される。変換されたデータはＲ／Ｗ６５に出力され、メモリーカード３００に書き込まれる。なお、変換されたデータは無線通信によって外部の表示装置３に転送されて表示パネル７に出力され、または表示装置３の記録部に書き込まれてもよい。メモリーカード３００に記録された画像データを再生する場合には、入力操作部６７に対する操作に応じてＲ／Ｗ６５によってメモリーカード３００から所定の画像データが読み出される。次いで、読み出されたその画像データが画像処理部６４によって伸張復号化処理が行われたのち、再生画像信号として無線通信によって表示装置３に転送され、表示パネル７に出力されて再生画像が表示される。
【００７０】
［９．撮像装置１の作用効果］
このように本実施の形態の撮像装置１では、本体８に、閉状態および開状態の双方において電池蓋１８を係止するクリックばね５１を設けるようにした。このため、電池蓋１８を閉じて撮像装置１を使用する際に、電池蓋１８が不用意に開いてしまうことが防止され、電池ＢＣの脱落や撮影動作等の妨げとなるような事態が生じにくい。その一方で、使用者は、電池蓋１８から手を離した状態で電池ＢＣの挿入や取出しを円滑に行うことができる。すなわち、撮像装置１によれば、部品点数を増やさずに簡易な構造を確保しつつ、優れた操作性を発揮することができる。
【００７１】
また、電池蓋１８は、閉状態からスライド状態へ移行したのち、回転軸Ｊを中心として回転することによりスライド状態から開状態に至るようにした。このように、撮像装置１では閉状態から開状態へ至るまでに２段階の状態変化があるので、電池蓋１８が意図せずに開いてしまうことがより生じ難い。また、電池蓋１８の、撮像装置１に占める相対的な大きさをより小さくすることができるうえ電池蓋１８の軽量化が実現される。そのため、使用者による操作性が向上する。さらに、閉状態からスライド状態へ移行する際にも、クリックばね５１のスライドガイド部５１Ｂによりカムシャフト１８Ｊ１を切り欠き９Ｋ１に押し付けるようにしたので、スライド状態へ移行する前に電池蓋１８が開いてしまうことがない。
【００７２】
また、電池装填部４１における壁４１Ｗ３，４１Ｗ４の一部に、電池蓋１８の回転を係止する回転係止部４５が設けるようにした場合には、電池蓋１８が、閉状態および開状態の双方において後方部９Ｃによっていっそう強固に保持され、使用者の利便性を高めることができる。
【００７３】
また、電池装填部４１の壁４１Ｗ１に電池排出ばね４２を設けるようにしたので、円滑に電池ＢＣの取出しを行うことができる。さらに、電池ＢＣを電池装填部４１に装填した際、電池排出ばね４２と壁４１Ｗ２とによって電池ＢＣが把持されるので、電池蓋１８を閉じる操作が容易となる。また、電池蓋１８が開状態となっても電池ＢＣが直ちに外部へ排出されることにはならない。すなわち、壁４１Ｗ２によって電池ＢＣが係止された状態を使用者が解除することではじめて電池排出ばね４２により電池ＢＣが排出されるので、使用者が電池ＢＣを落下させてしまうことが防止される。
【００７４】
また、電池装填部４１の底部４１Ｂの一部に窪み４４を設けるようにしたので、開口ＡＰを大きくすることなく、電池ＢＣの取出しをよりスムーズに行うことができる。
【００７５】
以上、いくつかの実施の形態および変形例を挙げて本開示を説明したが、本開示は上記実施の形態等に限定されるものではなく、種々の変形が可能である。例えば、上記実施の形態等では、電子機器として撮像装置を例に挙げて説明したが、本開示はこれに限定されるものではない。例えばタブレット型端末や携帯型の映像表示装置などの各種電子機器にも適用される。
【００７６】
また、上記実施の形態等では、係止部材として板ばねであるクリックばね５１を用いる例について説明したが、本開示はこれに限定されるものではない。例えば図２１に示した変形例（第２の変形例）のように、係止部材としてコイル状の圧縮ばね５３と板状部材５４とを組み合わせた構造体を用いてもよい。この場合、圧縮ばね５３の付勢力により板状部材５４をカムシャフト１８Ｊ１に押し付ける。
【００７７】
なお、本明細書中に記載された効果はあくまで例示であってその記載に限定されるものではなく、他の効果があってもよい。また、本技術は以下のような構成を取り得るものである。
（１）
電池を収容する収容部を有する本体と、
前記収容部を覆うように前記本体に取り付けられ、閉状態と開状態との間の状態移行が可能な蓋と、
前記本体に取り付けられ、前記閉状態および前記開状態の双方において前記蓋を係止する係止部材と
を備えた電子機器。
（２）
前記蓋は、前記閉状態から第１の方向へスライドしたスライド状態へ移行したのち、前記第１の方向と交差する回転軸を中心として回転することにより前記スライド状態から前記開状態に至る
上記（１）記載の電子機器。
（３）
前記収容部は、前記蓋と対向する底部と、前記底部の外縁に沿って立ち上がる壁とを有し、
前記壁の一部に、前記蓋の回転を係止する回転係止部が設けられている
上記（２）記載の電子機器。
（４）
前記蓋は、前記回転軸に沿って伸びるカムシャフトを有し、
前記係止部材は、前記閉状態における前記蓋の前記カムシャフトを係止する第１の係止部と、前記開状態における前記蓋の前記カムシャフトを係止する第２の係止部と、前記第１の係止部と前記第２の係止部とを繋ぎ前記カムシャフトの移動をガイドするスライドガイド部とを有する板状部材を有する
上記（２）または（３）に記載の電子機器。
（５）
前記蓋は、前記第１の方向に沿って伸びる溝を有し、
前記本体は、前記溝と係合する突起を有し、
前記蓋が前記閉状態から前記スライド状態へ移行する際、前記突起は前記溝にガイドされる
上記（２）から（４）のいずれか１つに記載の電子機器。
（６）
前記溝の一部には凸部が設けられ、前記突起には前記閉状態において前記凸部を係止する凹部が設けられており、
または、
前記溝の一部には凹部が設けられ、前記突起には前記閉状態において前記凹部に係止される凸部が設けられている
上記（５）記載の電子機器。
（７）
前記本体は撮像レンズをさらに有し、
前記第１の方向は、前記撮像レンズの光軸と直交する
上記（２）から（６）のいずれか１つに記載の電子機器。
（８）
前記本体は、外部からの光を前記撮像レンズへ導く光透過孔をさらに有し、
前記蓋は、前記本体における前記光透過孔と反対側の背面に設けられている
上記（７）記載の電子機器。
（９）
前記溝は、前記第１の方向と直交する第２の方向における前記蓋の両端に１つずつ設けられている
上記（５）記載の電子機器。
（１０）
前記蓋は、前記収容部の一部のみを覆い、前記開状態において前記電池の排出および前記電池の挿入が可能な開口が前記蓋および前記本体部により形成される
上記（２）から（９）のいずれか１つに記載の電子機器。
（１１）
前記収容部に設けられ、前記開口から前記収容部へ挿入される前記電池の先端面と当接して前記電池を前記第１の方向に付勢する付勢部材をさらに備えた
上記（１０）記載の電子機器。
（１２）
前記収容部は、前記蓋と対向する底部と、前記付勢部材が設けられた第１の壁と、前記第１の壁と対向する第２の壁とを有し、
前記収容部に収容された前記電池は、前記付勢部材と前記第２の壁とによって把持される
上記（１１）記載の電子機器。
（１３）
前記収容部における前記底部は、前記第１の壁と前記第２の壁との中間の位置よりも前記第１の壁に近い位置において、前記第１の方向と直交する第２の方向の幅が前記電池の幅と同等以上である窪みを有する
上記（１２）記載の電子機器。
（１４）
前記底部のうち前記窪み以外の部分は前記第１の方向および前記第２の方向に沿って広がる平坦面であり、
前記窪みは、前記平坦面へ繋がる傾斜面を含む
上記（１３）記載の電子機器。
（１５）
前記付勢部材はコイルばねである
上記（１１）から（１４）のいずれか１つに記載の電子機器。
（１６）
前記蓋は、
前記収容部に収容される前記電池と対向する内面と、
前記内面に立設し、前記収容部に収容される前記電池と当接する１以上のリブと
を有する
上記（１）から（１５）のいずれか１つに記載の電子機器。
【符号の説明】
【００７８】
１…撮像装置、２…アダプタ、３…表示装置、８…本体、９…外筒部、９Ａ…筒状部、９Ｂ…張出部、９Ｃ…後方部、９Ｋ１，９Ｋ２…切り欠き、１０…転がり防止部、１１（１１Ａ〜１１Ｃ）…内筒部、１２…光透過孔、１３…レンズバリア、１４…撮像レンズ、１８…電池蓋、１８Ｂ…基部、１８Ｇ…案内溝、１８Ｊ…カムシャフト、１８Ｌ…リブ、１８Ｗ…壁部、２５…ズームレバー、２６…撮影ボタン、４１…電池装填部、４１Ｂ…底部、４１Ｗ（４１Ｗ１〜４１Ｗ４）…壁、４２…電池排出ばね、４３…接続端子、４４…窪み、４５…回転係止部、５１…クリックばね、ＡＰ…開口、ＢＣ…電池。
【図１】
2016024383.tif 000003
【図２】
2016024383.tif 000004
【図３】
2016024383.tif 000005
【図４】
2016024383.tif 000006
【図５】
2016024383.tif 000007
【図６】
2016024383.tif 000008
【図７】
2016024383.tif 000009
【図８】
2016024383.tif 000010
【図９Ａ】
2016024383.tif 000011
【図９Ｂ】
2016024383.tif 000012
【図９Ｃ】
2016024383.tif 000013
【図９Ｄ】
2016024383.tif 000014
【図９Ｅ】
2016024383.tif 000015
【図１０Ａ】
2016024383.tif 000016
【図１０Ｂ】
2016024383.tif 000017
【図１１Ａ】
2016024383.tif 000018
【図１１Ｂ】
2016024383.tif 000019
【図１２Ａ】
2016024383.tif 000020
【図１２Ｂ】
2016024383.tif 000021
【図１２Ｃ】
2016024383.tif 000022
【図１３Ａ】
2016024383.tif 000023
【図１３Ｂ】
2016024383.tif 000024
【図１３Ｃ】
2016024383.tif 000025
【図１４Ａ】
2016024383.tif 000026
【図１４Ｂ】
2016024383.tif 000027
【図１４Ｃ】
2016024383.tif 000028
【図１５Ａ】
2016024383.tif 000029
【図１５Ｂ】
2016024383.tif 000030
【図１６】
2016024383.tif 000031
【図１７Ａ】
2016024383.tif 000032
【図１７Ｂ】
2016024383.tif 000033
【図１７Ｃ】
2016024383.tif 000034
【図１８】
2016024383.tif 000035
【図１９】
2016024383.tif 000036
【図２０】
2016024383.tif 000037
【図２１】
2016024383.tif 000038